(57)【要約】【課題】従来よりも著しく高い収穫量を達成する。【解決手段】環境条件をコントロールすることができ、栽培対象の植物を育成するための複数の区画と、前記植物を観測するモニタリング装置と、前記植物を載置する載置部と、制御手段からの制御により少なくとも上記複数の区画間を移動する移動手段とを備える移送装置とを備え、上記移送装置は、上記モニタリング装置にて観測した前記植物の状態に基づいて移動することを特徴とする。【選択図】図１
2011120555.tif 000002
【特許請求の範囲】
【請求項１】
環境条件をコントロールすることができ、栽培対象の植物を育成するための複数の区画と、
前記植物を観測するモニタリング装置と、
前記植物を載置する載置部と、制御手段からの制御により少なくとも上記複数の区画間及び/又は上記区間内を自在に移動する移動手段とを備える移送装置と、
を備え、上記移送装置は、上記モニタリング装置にて観測した前記植物の状態に基づいて自在に移動できることを特徴とする植物栽培システム。
【請求項２】
前記制御手段は、上記モニタリング装置で観測した前記植物の成熟度を判定し、成熟したと判断した場合に前記複数の区画のうち所定の区画にある収穫場所に移動させることを特徴とする請求項１記載の植物栽培システム。
【請求項３】
前記制御手段は、上記モニタリング装置で観測した前記植物の生育不良、障害及び病害虫の発生のいずれかを判定し、生育不良、障害及び病害虫の発生のいずれかであると判断した場合に前記複数の区画のうち隔離するための区画に移動させることを特徴とする請求項１記載の植物栽培システム。
【請求項４】
前記制御手段は、前記植物の種類に応じて予め設定された生育サイクルに併せて前記複数の区画を順次移動させることを特徴とする請求項１記載の植物栽培システム。
【請求項５】
前記生育サイクルとして永年性植物の生育サイクルを設定した場合、前記複数の区画は、受粉用区画、成熟用区画及び休眠用区画を含むことを特徴とする請求項４記載の植物栽培システム。
【請求項６】
前記モニタリング装置は、前記植物を画像解析する画像解析手段、前記植物の成熟度を解析する成熟度解析手段及び前記植物の病害を解析する病害解析手段からなる群から選ばれる少なくとも１以上の手段を備えることを特徴とする請求項１記載の植物栽培システム。
【請求項７】
前記制御手段は、前記移送装置に内蔵されていることを特徴とする請求項１記載の植物栽培システム。
【請求項８】
前記制御手段は、複数の前記移送手段における移動手段を個別に遠隔操作する情報処理装置であることを特徴とする請求項１記載の植物栽培システム。
【請求項９】
前記複数の区画は、地上部の区画と地下部の区画を含むことを特徴とする請求項１記載の植物栽培システム。
【請求項１０】
前記地上部の区画は、太陽光を取り入れる窓を備えることを特徴とする請求項９記載の植物栽培システム。
【請求項１１】
前記地上部の区画と前記地下部の区画を連結する昇降機を有することを特徴とする請求項９記載の植物栽培システム。
【請求項１２】
前記植物は永年性植物であることを特徴とする請求項１記載の植物栽培システム。
【請求項１３】
前記環境条件は、光量条件、温度条件、湿度条件及び炭酸ガス量条件からなる群から選ばれる少なくとも１以上の条件であることを特徴とする請求項１記載の植物栽培システム。
【請求項１４】
前記複数の区画は、前記植物が自生可能な自然環境における気候区分に併せて前記環境条件が制御されていることを特徴とする請求項１記載の植物栽培システム。
【請求項１５】
前記気候区分は、温帯気候であることを特徴とする請求項１４記載の植物栽培システム。
【発明の詳細な説明】
【背景技術】
【０００１】
自然環境下における植物栽培は、気候や栽培環境等の影響をうけるため、安定的な生産は非常に困難である。そこで、現在、サラダナやレタスなどの葉菜類の栽培に、いわゆる「植物工場」を利用する試みがなされている。植物工場とは、閉鎖的又は半閉鎖的な空間内において植物を計画的に生産するシステムである。植物工場には、閉鎖環境で太陽光を使わずに環境を制御して、周年・計画生産を行う「完全人工光型」の施設と、温室等の半閉鎖環境で太陽光の利用を基本として、雨天・曇天時の補光や夏季の高温抑制技術等により、周年・計画生産を行う「太陽光利用型」の施設がある。
【０００２】
現在の植物工場は、基本的に閉鎖的又は半閉鎖的な空間内における光量や室温、湿度を一括して制御することで植物の成長をコントロールし、その空間内において収穫可能な程度に植物を成長させる。特許文献１には、透光断熱層を天井面に有する地下空間において、温度や湿度、炭酸ガス濃度を調節しながら植物を栽培するシステムが開示されている。また、特許文献１には、植物を育成するための容器が自己走行することで空間内部を移動するといった構成のみが開示されている。
【０００３】
また、ベルトコンベアーといった移動路を用いて、栽培した植物を個体単位或いはコンテナ単位で移動させ、当該移動路上に配設された観察装置で成長度を観察し、観察結果に基づいて植物を収穫用区画や栽培区画へと移動させる植物工場が知られている。この移動路を用いた植物工場によれば、個々の植物或いはコンテナ単位の植物群における成長に応じた収穫時期の管理が可能となる。
【０００４】
一方、特許文献２には、ハウス内の植物栽培において、少数の植物個体群をまとめて生育するための自転可能な栽培容器が開示されている。但し、特許文献２に開示された栽培容器は、自転動作を駆動する駆動装置や駆動制御装置を有するものではなく、栽培管理者等による操作で自転動作するものと理解できる。
【先行技術文献】
【特許文献】
【０００５】
【特許文献１】特開平０５−２１１８２２号公報
【特許文献２】特許第４０２２２１９号
【発明の概要】
【発明が解決しようとする課題】
【０００６】
上述したように、現在、植物工場と呼ばれる植物栽培システムを適用して、葉菜類に代表される各種植物の高収量化を目指して実用化している段階ではあるものの、当該植物栽培システムは未だあらゆる植物に適用可能な技術ではなく、また収穫量も十分なものとは言えない。そこで、本発明は、このような実情に鑑み、様々な植物に適用することができ、且つ従来よりも著しく高い収穫量を達成することができる植物栽培システムを提供することを目的とする。
【課題を解決するための手段】
【０００７】
上述した目的を達成した本発明に係る植物栽培システムは、以下を包含する。
（１）環境条件をコントロールすることができ、栽培対象の植物を育成するための複数の区画と、前記植物を観測するモニタリング装置と、前記植物を載置する載置部と、制御手段からの制御により少なくとも上記複数の区画間及び/又は上記区間内を自在に移動する移動手段とを備える移送装置とを備え、上記移送装置は、上記モニタリング装置にて観測した前記植物の状態に基づいて自在に移動できることを特徴とする植物栽培システム。
【０００８】
（２）前記制御手段は、上記モニタリング装置で観測した前記植物の成熟度を判定し、成熟したと判断した場合に前記複数の区画のうち所定の区画にある収穫場所に移動させることを特徴とする（１）の植物栽培システム。
【０００９】
（３）前記制御手段は、上記モニタリング装置で観測した前記植物の生育不良、障害及び病害虫の発生のいずれかを判定し、生育不良、障害及び病害虫の発生のいずれかであると判断した場合に前記複数の区画のうち隔離するための区画に移動させることを特徴とする（１）記載の植物栽培システム。
【００１０】
（４）前記制御手段は、前記植物の種類に応じて予め設定された生育サイクルに併せて前記複数の区画を順次移動させることを特徴とする（１）記載の植物栽培システム。
【００１１】
（５）前記生育サイクルとして永年性植物の生育サイクルを設定した場合、前記複数の区画は、受粉用区画、成熟用区画及び休眠用区画を含むことを特徴とする（４）記載の植物栽培システム。
【００１２】
（６）前記モニタリング装置は、前記植物を画像解析する画像解析手段、前記植物の成熟度を解析する成熟度解析手段及び前記植物の病害を解析する病害解析手段からなる群から選ばれる少なくとも１以上の手段を備えることを特徴とする（１）記載の植物栽培システム。
【００１３】
（７）前記制御手段は、前記移送装置に内蔵されていることを特徴とする（１）記載の植物栽培システム。
【００１４】
（８）前記制御手段は、複数の前記移送手段における移動手段を個別に遠隔操作する情報処理装置であることを特徴とする（１）記載の植物栽培システム。
【００１５】
（９）前記複数の区画は、地上部の区画と地下部の区画を含むことを特徴とする（１）記載の植物栽培システム。
【００１６】
（１０）前記地上部の区画は、太陽光を取り入れる窓を備えることを特徴とする（９）記載の植物栽培システム。
【００１７】
（１１）前記地上部の区画と前記地下部の区画を連結する昇降機を有することを特徴とする（９）記載の植物栽培システム。
【００１８】
（１２）前記植物は永年性植物であることを特徴とする（１）記載の植物栽培システム。
【００１９】
（１３）前記環境条件は、光量条件、温度条件、湿度条件及び炭酸ガス量条件からなる群から選ばれる少なくとも１以上の条件であることを特徴とする（１）記載の植物栽培システム。
【００２０】
（１４）前記複数の区画は、前記植物が自生可能な自然環境における気候区分に併せて前記環境条件が制御されていることを特徴とする（１）記載の植物栽培システム。
【００２１】
（１５）前記気候区分は、温帯気候であることを特徴とする（１４）記載の植物栽培システム。
【発明の効果】
【００２２】
本発明によれば、様々な植物に適用することができ、且つ従来よりも著しく高い収穫量を達成する植物栽培システムを提供できる。本発明に係る植物栽培システムによれば、植物を観測することで植物の状態に応じて移送装置単位で植物を所望の区画に移動させることができる。このため、本発明に係る植物栽培システムによれば、植物移動のためのベルトコンベアーといった大掛かりな設備を必要とせず、且つ、植物の個別管理が可能となるため、低コストに高い収穫量を達成することができる。
【図面の簡単な説明】
【００２３】
【図１】本発明の植物の育成管理システムの一実施の形態を示した図である。
【図２】図１の育成管理システムを構成する植物育成プラントの１階平面図を示した図である。
【図３】図１の植物育成プラントの地下平面図を示した図である。
【図４】図１の育成管理システムを構成する移送装置の一実施の形態を示した図である。
【発明を実施するための形態】
【００２４】
以下、図面を参照して本発明の実施の形態を説明する。なお、図示する植物育成プラントは、地上１階、地下１階から構成されているが、その地上や地下の階数は、図示例に限定されるものではないことは言うまでも無く、各々の階層を構成する処置ブースの配列や、各ブースの装置の配置も、図示例に限定されるものではない。また、移送装置や植物を載置するパレットは、その横断面が円形であるが、その形状は図示例に限定されるものではない。
【００２５】
以下、育成管理システムは、栽培対象の植物としてブルーベリーを一例として説明する。育成管理システムにおいて、栽培対象はブルーベリーに限定されるものではなく、如何なる植物を栽培対象としてもよい。栽培対象の植物としては、一年性植物若しくは二年性植物でもよいし、永年性植物でも良い。育成管理システムは、詳細を後述するように、生育サイクルにおける各段階を複数の区画で実現でき、且つ、移送装置に載置された植物を個別に所望の区画に移送することができる。このため、育成管理システムは、複数の生育サイクルを経ることができる永年性植物を栽培対象とすることが好ましい。
【００２６】
永年性植物とは、複数の生育サイクルを繰り返す植物を意味し、一年又は二年に亘って一回の生育サイクルで枯死する植物（一年性植物又は二年生植物）を除く植物を意味する。永年性植物としては、代表的には果樹を挙げることができる。育成管理システムでは、特に限定されないが、ブルーベリー、ラズベリー、ストロベリー、ミカンやレモン等の柑橘類、桜桃、リンゴ、梨、ビワ、ブドウ、マンゴー、パパイヤ、ドラゴンフルーツ、バナナ等を栽培対象とすることができる。特に、育成管理システムでは、地上（受粉用区画、成熟用区画）と地下（休眠用区画）の両構造を利用して休眠を持つ温帯性作物を、一方地上のみの構造を利用して休眠しない亜熱帯および熱帯性作物を栽培対象とすることが好ましい。
【００２７】
図１は、植物の育成管理システムの一実施の形態を示すものであり、図２及び図３の平面図は、図１に示す植物育成プラントの１階及び地下にある処置ブースの一実施の形態を示すものである。また、図４は、図１の育成管理システムを構成する移送装置の一実施の形態を示すものである。
【００２８】
育成管理システム１０００は、地上階２００と地下階３００を有する植物育成プラント４００と、植物２０が載置されている移送装置１００とを備えている。
【００２９】
育成管理システム１０００の概要を図１から図３を参照して説明すると、図１には、地上１階、地下１階の植物育成プラント４００が示されており、その内部を、植物２０が載置された移送装置１００が自走するものである。地上階２００には、上方から太陽光を取り入れることができる窓２０８が、少なくとも天井部に設置されている。また、窓２０８には、必要に応じて太陽光を遮るためのサンシェード（不図示）が設けられており、植物の育成状況に応じて、後述する情報処理装置からの指示を受けて、太陽光が遮断されるようになっている。さらに、植物育成プラント４００には、太陽光を利用して発電し、それを植物育成プラントの電力として使用するための太陽電池パネル（不図示）が設置されている。
【００３０】
ここで、地上階２００は、主に、受粉ブース２０１、果実成熟（収穫）ブース２０２、養分蓄積ブース２０３からなる複数の区画、さらに、植物を一旦隔離して植物の育成診断を実行する診断ブース２０４と、その診断ブース２０４で育成状態に問題があると診断された際に、その植物を隔離して診断された問題を処理する隔離ブース２０５からなる複数の区画を備えている（図２参照）。また、地下階３００は、休眠導入ブース３０１、休眠管理ブース３０２、萌芽促進ブース３０３からなる複数の区画を備えている。なお、栽培対象の植物の種類によっては、生育サイクルに休眠期を有しないものもある。この場合、休眠導入ブース３０１及び休眠管理ブース３０２といった区画は不要となる。
【００３１】
これら各区画は、図示しないが、上述したサンシェードを含む光量調節装置、温度調節装置、湿度調節装置、排気装置、炭酸ガス供給装置等をそれぞれ備えている。これら各装置により、各区画内の光量、温度、湿度、炭酸ガス濃度といった各種環境条件が調整される。
【００３２】
また、栽培対象の植物の種類によっては、環境条件の異なる複数の果実成熟（収穫）ブース２０２を備えることもできる。すなわち、育成管理システム１０００において、上述した複数の区分は、栽培対象の植物が自生可能な自然環境における気候区分に併せて、各区画における環境条件がそれぞれ制御される。例えば、複数の季節から構成される気候区分、一例として春夏秋冬といった４つの季節から構成される温帯気候については、これら季節のうち少なくとも１つの季節を１つの区分に実現することができる。また、例えば、栽培対象の植物が雨期及び乾期を有する気候区分において熟成する果実を付けるものである場合、雨期の環境条件を実現した果実成熟（収穫）ブースと乾期の環境条件を実現した果実成熟（収穫）ブースを備えることが好ましい。
【００３３】
また、地上階２００に設置された受粉ブース２０１には、地下階３００の萌芽促進ブース３０３と連絡するリフト４０１が設置されている。同様に、養分蓄積ブース２０３には、地下の休眠導入ブース３０１と連絡するリフト４０２が設置されている。
【００３４】
また、育成管理システム１０００は、果実成熟（収穫）ブース２０２にモニタリング装置２１０を備えている。モニタリング装置２１０は、栽培対象のブルーベリーを観測するものであれば、特に限定されるものではない。ここで観測とは、植物自体の生育状況、植物の果実の成熟度、病害に起因する生育不良、生育障害、病害虫の発生の有無等を測定することを意味する。したがって、モニタリング装置２１０としては、植物自体の生育状況を測定するための撮像装置や重量測定装置、植物の果実の成熟度を測定するための撮像装置や糖度測定計、病害に起因する生育不良、生育障害、病害虫の発生の有無等を測定するための撮像装置等を挙げることができる。育成管理システム１０００は、これら具体的な装置から選ばれる１又は複数種類のモニタリング装置２１０を備えることができる。
【００３５】
一例として、モニタリング装置２１０は、複数のカメラ２０２ｂと、複数の重量計測器２０２ｃと備えている。複数のカメラ２０２ｂとしては、可視光画像を撮像するカメラと、近赤外分光を測定できる近赤外分光装置とを含むことが好ましい。なお、図示しないが、これらカメラ２０２ｂや重量測定器２０２ｃにて測定した画像データや重量データを解析する解析装置を備えていても良いし、これら画像データや重量データを情報処理装置２０７ａに入力して解析しても良い。
【００３６】
なお、図２には、撮影のための複数台のカメラ２０２ｂが示されているが、一台のカメラ２０２ｂを使用して、カメラ２０２ｂが情報処理装置２０７ａ等からの信号に従って撮影方向を変更し、移動する植物を撮影する形態でもよい。また、移送装置１００に計量器が搭載されてその上に植物を載置し、計量器が移送装置１００と共に移動する形態であれば、果実成熟（収穫）ブース２０２に重量測定器２０２ｃを設置する必要はない。この場合、果実成熟（収穫）ブース２０２に重量測定器２０２ｃを設置するためのスペースが不要となり、果実成熟（収穫）ブース２０２のみではなく常に植物の重量を計測することができる。
【００３７】
モニタリング装置２１０は、果実成熟（収穫）ブース２０２に配設されている構成に限定されず、受粉ブース２０１や養分蓄積ブース２０３、休眠導入ブース３０１、休眠管理ブース３０２、萌芽促進ブース３０３といった他の区画に配設されていても良い。また、育成管理システム１０００は、上述したような各種の観測を実施するための区画を別途備えるものであっても良い。
【００３８】
また、育成管理システム１０００は、植物育成プラント４００の地上階２００に、情報処理装置２０７ａを備える総合管理ブース２０７を備えている。情報処理装置２０７ａは、移送装置１００の動作、及び植物育成プラント４００の運転を総括的に制御することができる（図２参照）。
【００３９】
例えば、情報処理装置２０７ａは、上述した各区画における環境条件をコントロールすることができる。ここで、環境条件とは、植物の生育に対して影響を与えうる条件であれば特に限定されず、例えば、光量条件、温度条件、湿度条件、炭酸ガス濃度条件、個葉の蒸散量、土壌水分条件、養水分吸収量条件、植物体重等を挙げることができる。管理者が上述した各区画における所望の環境条件を情報処理装置２０７ａに入力することで、情報処理装置２０７ａは、各区画の環境条件を適宜コントロールすることができる。なお、情報処理装置２０７ａは、栽培対象の植物の種類毎と各区分の具体的な環境条件とを対応させたデータベースを有していてもよい。このデータベースを有する場合、管理者が栽培対象の植物の種類を入力することで、情報処理装置２０７ａが各区分の環境条件をデータベースから検索して適宜コントロールを行うことができる。
【００４０】
また、例えば、情報処理装置２０７ａは、栽培対象の植物の生育サイクルに応じて、上述した各区画に植物を留置するタイミングや期間を制御することができる。管理者が栽培対象のブルーベリーに生育サイクルに併せて、受粉ブース２０１へ留置するタイミング及び期間、果実成熟（収穫）ブース２０２へ移動するタイミング及び期間等を情報処理装置２０７ａに入力することで、情報処理装置２０７ａは、詳細を後述する、移送装置１００の自走動作を適宜コントロールすることができる。なお、情報処理装置２０７ａは、栽培対象の植物の種類とその生育サイクルとを対応させたデータベースを有していてもよい。このデータベースを有する場合、管理者が栽培対象の植物の種類を入力することで、情報処理装置２０７ａが栽培対象の生育サイクルをデータベースから検索し、各区画に植物を留置するタイミングや期間を制御することができる。
【００４１】
さらに、例えば、情報処理装置２０７ａは、栽培対象のブルーベリーに供給する肥料の種類、肥料供給時期、供給量、水分供給時期及び水分供給量等を制御することができる。なお、情報処理装置２０７ａは、栽培対象の植物の種類とその植物に関する施肥方法及び給水方法とを対応させたデータベースを有していてもよい。このデータベースを有する場合、管理者が栽培対象の植物の種類を入力することで、情報処理装置２０７ａが栽培対象の植物に関する施肥方法及び給水方法をデータベースから検索し、肥料の種類、肥料供給時期、供給量、水分供給時期及び水分供給量等を制御することができる。
【００４２】
さらにまた、情報処理装置２０７ａは、上述したモニタリング装置２１０と有線又は無線で接続されており、モニタリング装置２１０にて観測した植物に関する情報を入力することができる。
【００４３】
ここで、図４を参照して、上記の植物育成プラントを自走する移送装置１００を具体的に説明すると、移送装置１００は、４つの車輪１を備えた底部２を有して、その横断面が円形を呈している。その車輪１には不図示の駆動装置が備えられており、これが外部からの信号、もしくは、後述するＩＣタグからの信号を受けて作動して、移送装置１００の自走を可能とする。また、その移送装置１００には、植物２０を収容するパレット２１を移送装置１００に載置するための円錐台形のカップ４が備えられており、カップ４は、移送装置１００の側面３に備えられた縦断面コの字形の把持手段５に把持されている廃液フィルター６に載置されている。さらに、廃液フィルター６には、略中央部で、かつ、その下方に、別途の廃液フィルター７が備えられている。また、移送装置１００には、その底部２に、廃液を集液するための廃液タンク８が設けられおり、植物に与えられた養分や水分、または農薬等の廃液は、上記２つの廃液フィルター６，７で濾過されて廃液タンク８に集液されるようになっている。そして、集液された廃液は、不図示の再利用装置においてその成分を調整されて、再利用される。
【００４４】
また、移送装置１００に備えられた廃液タンク８には、その上部に回転駆動手段９が設けられている。この回転駆動手段９は別途の廃液フィルター７に接合されている回転用冶具１１と勘合しているので、回転駆動手段９が作動すると、回転用冶具１１が回転し、その上部に配されている、廃液フィルター６、カップ４、及びパレット２１に収容された植物２０が回転することができる。
【００４５】
また、移送装置１００には、その表面にＩＣタグ１２が備えられている。このＩＣタグ１２は、様々な情報を記憶することができ、また、外部からの信号を受信することができる。具体的には、ＩＣタグ１２は、他の移送装置１００との識別を可能とする管理番号情報、モニタリング装置２１０による観測の結果に関する情報、情報処理装置２０７ａで入力された各種条件等に関する情報、施肥や給水処理の実績に関する情報等を記憶することができる。また、ＩＣタグ１２は、モニタリング装置２１０による観測の結果に関する情報や施肥や給水処理の実績に関する情報等を情報処理装置２０７ａに対して出力することができる。
【００４６】
さらに、ＩＣタグ１２は、記憶した情報に基づいて、車輪１の駆動を制御することができ、上述した各区画への移送を制御できる。なお、上述した情報処理装置２０７ａが直接的に車輪１の駆動を制御する信号を出力する場合には、ＩＣタグ１２は、上述した車輪１の駆動制御機能を有しなくてよい。
【００４７】
さらに、移送装置１００の大きさは、植物２０の幹や果実、葉、根等の大きさに応じて、個別に選択することができるので、移送装置１００の大きさを植物２０ごとに最適化して、移送装置１００が各ブース内で自走できる間隔を十分に保つことができる。
【００４８】
また、移送装置１００の側面３の上端には、載置された植物２０に対して平面的に見て対角線上に二つの給液装置１３が備えられている。ここで、上記する回転駆動手段９が作動すると、移送装置１００に対して、内部のパレット２１に載置された植物２０がパレット２１と共に相対的に回転するので、給液装置１３から給液される水分や養分は、パレット２１内の育成土に円を描くように給液され、植物２０に対して均一に水分や養分を提供することができる。
【００４９】
また、その給液装置１３に近接した箇所には、葉や果実表面からの水分の蒸発を抑制し、葉周辺の湿度を保持して光合成を促進するための、ドライミスト１４を配することもできる。給液装置１３の場合と同様に、植物２０が移送装置１００に対して回転することで、噴霧状態の水分を植物の葉や果実表面に均一に提供することができる。
【００５０】
なお、上記する実施例では、給液装置１３やドライミスト１４を植物２０に対して対角線上に配しているが、植物２０を少なくとも１回転以上回転制御することを前提として、移送装置１００の任意の箇所に少なくとも一つの給液装置１３やドライミスト１４が設置されるシステム形態を適用してもよい。
【００５１】
また、植物２０が自ら回転し、植物２０の葉の表面の空気を自ら換気することができるため、外部に設置された換気扇等による換気よりも効率的な換気が実現され、植物２０の光合成の促進に繋がる。
【００５２】
以上のように構成された育成管理システム１０００を利用した植物の育成サイクルを具体的に説明すると、植物２０が載置された移送装置１００が予め準備され、その移送装置１００は植物育成プラント４００の地下階３００にある萌芽促進ブース３０３に配置される。なお、以下の説明は、移送装置１００を萌芽促進ブース３０３に配置した状態から開始するものであるが、移送装置１００に載置される植物２０の状況に応じて、その開始状態を自由に変更することができる。また、育成管理システム１０００では、複数の移送装置１００を使用して、複数の植物個体を個別に管理することができる。このとき、個々の移送装置１００は、ＩＣタグ１２に記憶された管理番号情報により識別される。
【００５３】
萌芽促進ブース３０３に配置された移送装置１００は、開花に適した育成状況になると、移送装置１００に配されたＩＣタグ１２からの情報や情報処理装置２０７ａからの指示を受けて自走し、萌芽促進ブース３０３にあるリフト４０１へ移動し、地下階３００から地上階２００の受粉ブース２０１へ移動する。ここで、開花に適した育成状況になったか否かの判断は、情報処理装置２０７ａに予め入力された萌芽促進期間に基づいて行うことができる。或いは、萌芽促進ブース３０３に配設されたモニタリング装置（不図示）により植物を撮像し、画像解析によって花芽の個数や大きさを測定し、測定された花芽が所定の個数や所定の大さに達した時に開花に適した育成状況と判断することもできる。
【００５４】
ここで、受粉ブース２０１は、たとえば、一年のうちの春季に対応する環境を実現するものであるが、既述のように、季節及び昼夜ごとに、植物の育成状況に応じて、植物に対して提供される、光や養分、水分等が調整されるようになっている。また、受粉ブース２０１は、内部に照明装置を有しつつ、太陽光が必要な場合は上部から太陽光を取り入れることができる窓２０８を有しているので、植物の育成状況に応じて、照明装置からの人工光と太陽光を併用できるようになっている。
【００５５】
受粉ブース２０１へ移動した植物２０は、ブース２０１内で人工光や太陽光、水や養分等を受けて、萌芽状態から開花し、昆虫を媒体として受粉する。なお、昆虫を媒体とする虫媒花以外にも、風媒花、鳥媒花、または、水媒花でも実施可能であることは言うまでもない。そして、受粉が完了すると、移送装置１００は果実成熟ブース２０２へ自走する。ここで、受粉の完了は、情報処理装置２０７ａに予め入力された受粉期間に基づいて行うことができる。
【００５６】
果実成熟ブース２０２は、一年のうちの初夏に対応する環境を実現するものであるが、受粉ブース２０１と同様に、植物の育成状況に応じたブース内環境の調整が可能である。
【００５７】
果実成熟ブース２０２へ移動した植物２０は、果実成熟ブース２０２内で光や水、養分等を受け、受粉した植物２０の子房が果実となり、それが収穫に適した状態まで成熟する。この段階では、果実成熟ブース２０２内に設置されたモニタリング装置２１０によって果実の成熟状況をモニタリングすることができる。具体的には、モニタリング装置２１０のカメラ２０２ｂにて植物２０を撮像し、得られた画像データに基づいて植物２０の成熟度を判定することができる。具体的には、植物２０を撮像した画像データから、果実の大きさ及び色調、葉の色調、果実表面温度分布などを測定する。そして、所定の大きさを超える果実における色調が、予め定められた色調に達している場合には完熟状態であると判定する。この判定処理は、上述した情報処理装置２０７ａ又はモニタリング装置２１０に備わった解析装置で行うことができる。判定結果は、植物２０の熟成度を示す情報としてＩＣタグ１２へ出力され、ＩＣタグ１２内に記憶される。
【００５８】
また、カメラ２０２ｂとして可視光画像を撮像するカメラと近赤外分光を測定できる近赤外分光装置の両者を備える場合、これらカメラによって果実の可視光画像（カラー画像）及び近赤外分光を測定する撮像する。そして、カラー画像に基づいて果実表皮の外観、着色の均一さ、大きさを判断し、近赤外分光分析により果実内部の糖度を測定し、また、その分光画像で成熟度を判断することができる。したがって、カメラ２０２ｂとして可視光画像を撮像するカメラと近赤外分光を測定できる近赤外分光装置の両者を備える場合、カラー画像解析結果及び近赤外分光分析結果の２つの判断基準に基づいて、成熟度を判断することができる。なお、近赤外分光分析により果実の糖度を測定する際には、予め糖度と近赤外光の波長（670nm程度）との相関を算出しておき、この相関関係に基づいて近赤外光の波長の反射量から糖度を測定することができる。また、近赤外分光分析は近赤外光の吸収量及び反射量のいずれを測定しても良い。
【００５９】
なお、カメラ２０２ｂとしては、上述した可視光画像を撮像するカメラや近赤外分光装置に限定されず、例えば、果実表面の温度を測定する装置であっても良い。果実の表面温度を測定し、表面温度が上昇して所定の値を超えたところで果実が完熟していると判断することもできる。
【００６０】
植物２０の果実が完熟しているといった情報がＩＣタグ１２に記録されると、ＩＣタグ１２は、車輪１の駆動を制御して収穫するための場所へと移送装置１００を自走させる。また、植物２０の果実が完熟しておらず、成熟段階を示す情報がＩＣタグ１２に記録されると、成熟段階に応じて、各々の植物ごとに与える光や水、養分等が適宜調整されて、植物２０が育成管理される。
【００６１】
そして、果実成熟ブース２０２内の収穫場所において、管理者は果実を収穫することができる。植物２０の果実が収穫された移送装置１００は、次いで、養分蓄積ブース２０３へ自走する。
【００６２】
養分蓄積ブース２０３は、花芽の形成と養分の蓄積を目的としたブースであり、休眠への前段階として使用されるものである。このブース２０３も、受粉ブース２０１や果実育成ブース２０２と同様に、ブース内の植物の大きさや種類に応じたブース内環境を調整することができる。
【００６３】
そして、情報処理装置２０７ａに蓄積されたデータや、移送装置１００が有するＩＣタグ１２に記憶されている情報から植物の育成状況を確認しつつ、養分の蓄積が完了した植物を載置した移送装置１００は、養分蓄積ブース２０３にあるリフト４０２へ自走し、地上階２００から地下階３００の休眠導入ブース３０１へ搬送される。ここで、養分の蓄積が完了したか否かの判断は、情報処理装置２０７ａに予め入力された養分蓄積期間に基づいて行うことができる。或いは、養分蓄積ブース２０３に配設されたモニタリング装置（不図示）により植物を撮像し、画像解析によって花芽の個数や大きさを測定し、測定された花芽が所定の個数や所定の大さに達した時に養分の蓄積が完了したと判断することもできる。また、養分蓄積ブース２０３において画像解析を行い、花芽の個数や大きさを測定し、この情報と収穫量、伸長した枝の総量を使って、次年度の最適着果量を推察することにより剪定を行うことができる。
【００６４】
図１で示す地下の休眠導入ブース３０１は、直接太陽光が入射しない構造であるが、人工光を用いたり、太陽光を間接的に取り込むことによって、植物に光を提供する構成となっている。すなわち、地上階と比較して相対的に、低温で、かつ安定した温度を維持することが可能であるため、たとえば、一年のうちの秋季に対応する環境を容易に実現することができる。ここで、休眠導入ブース３０１へ移動した植物２０は、このブース内３０１で、光や水、養分等を提供されて、植物の最適な育成状態が管理され、休眠に最適な状況になる。そして、それらの情報を情報処理装置２０７ａと送受信しつつ、移送装置１００は、休眠管理ブース３０２へ自走する。ここで、休眠に最適な状況か否かの判断は、情報処理装置２０７ａに予め入力された休眠導入期間に基づいて行うことができる。或いは、休眠導入ブース３０１に配設されたモニタリング装置（不図示）により植物を撮像し、画像解析によって休眠に最適な状況を判断することもできる。
【００６５】
休眠管理ブース３０２は、たとえば、一年のうちの冬季に対応する環境を実現するものであり、休眠導入ブース３０１と同様に、地上階と比較して相対的に、低温で、かつ安定した温度を維持することが可能である。さらに、ブース３０２内の植物２０の大きさや種類に応じたブース内環境を調整したり、各々の植物に応じた光や水、養分等の最適な管理をおこないながら、休眠管理ブース３０２へ自走してきた植物は、萌芽に備えた休眠状態を維持することになる。
【００６６】
上記のような一年に相当するサイクルを完了し、休眠状態を打破した植物２０は、萌芽促進ブース３０３へ自走し、次の植物育成のサイクルを開始する。なお、休眠期間についても、情報処理装置２０７ａに予め入力された期間に基づいて管理することができる。或いは、休眠管理ブース３０２に配設されたモニタリング装置（不図示）により植物を撮像し、画像解析によって休眠の終了時期を判断することもできる。
【００６７】
ここで、例えば、ブルーベリーのような永年性の植物を栽培対象とすれば、休眠状態を含む生育サイクルを繰り返すことができる。また、これらのサイクルの際に得られた植物ごとの情報は、移送装置１００に配されたＩＣタグに記憶され、それらが順次更新されて、新たなサイクルの際の植物の育成環境の最適化に使用することができる。さらに、通常の露地栽培においては約１年を周期として生育サイクルを営む植物であっても、休眠導入、休眠期間、萌芽促進期間などを適宜、調節することによって生育サイクルを早く周回させることができる。たとえば、ブルーベリー等の永年性果樹については、１年に２回の生育サイクルを周回させ、１年に２回の収穫を達成することができる。
【００６８】
また、育成管理システム１０００においては、上述した生育サイクルにおけるいかなる段階においても、栽培対象の植物について各種の診断、診断に基づく各種処置を行うことができる。例えば、図示する総合管理ブース２０７に隣接して、情報処理装置２０７ａに蓄積されたデータから植物の育成診断を実行する必要があると指示された際に、又は予め設定されたタイミングで、その診断すべき植物が載置された移送装置１００が診断ブース２０４へと自走する。あるいは、上記の生育サイクルにおいて、たとえば、果実成熟ブース２０２のモニタリングの結果から、生育不良、生育障害、病害虫の発生の有無といった植物に関する育成の問題が懸念される場合には、移送装置１００は診断ブース２０４へ自走して植物を一旦隔離する。診断ブース２０４では、植物の育成診断が実行され、適切な処置内容が検討される。この処置内容としては、例えば、農薬等の投与が必要な場合にそれらを投与すること、病害虫を駆除すること、などを挙げることができる。一方、問題がないと診断され、もしくは、それ以上の処置の必要性がないと診断されると、植物育成のサイクルへ戻される。ここで、移送装置はＩＣタグ１２を備えているので、その処置の内容、例えば農薬の種類や投与回数をＩＣタグ１２に記憶しておくことができる。
【００６９】
しかし、上記の診断において問題が解消せず、例えば、病害虫の発生等のため、他の植物に対して隔離して処置することが必要であると診断される場合がある。その場合、診断ブース２０４と隣接して、診断ブース２０４と連絡可能に接続されている隔離ブース２０５へと移送装置１００が自走する。具体的には、他の植物に対して隔離して処置することが必要であると診断された場合、その植物が載置された移送装置１００は自走して、診断ブース２０４から隔離ブース２０５へ移動して収容され、他の植物と隔離されながら、適切な処置がなされるようになっている。そして、それらの問題が解消した後に、植物が最適なサイクル段階へ戻されるようになっている。なお、処置の内容がＩＣタグ１２に記憶されて、以後の管理が実行される。このように、本システム１０００によれば、生育不良、障害、病害虫といった問題が他の個体へ伝搬・拡大することを防止することができ、また、問題の植物を隔離ブース２０５等で適切に処置することにより健全に復帰させることができる。本システム１０００では、生育不良、障害、病害虫といった問題を有する植物を載置した移送装置１００が隔離ブース２０５等に自走するため、各種処理を効率良く行うことができる。
【００７０】
さらに、育成管理システム１０００においては、当該システムを管理する管理者は、図示する総合管理ブース２０７で各ブースのブース内環境を適宜調整したり、情報処理装置２０７ａに蓄積されたデータを確認して、各々の植物ごとにＩＣタグ１２を介して指示を送信することもできる。また、それらのデータをさらに遠隔に送信して、植物育成プラント４００とは別途の場所で、植物の育成状況を計測管理することも可能である。
【００７１】
なお、上記の移送装置１００は、予め設定された時間が経過すると各々のブースへ自走するように初期設定されてもよいが、その設定は、各々の植物の育成状況に応じて、情報処理装置２０７ａからの信号を受けて更新され、その更新された設定に基づいて自走するようになっているのが好ましい。さらに、ＩＣタグ１２でそれらの植物の育成状況を記憶できるため、そのデータを使用し、自らの移送装置１００の移動を最適化して自走できるようになっているのが好ましい。
【００７２】
特に、育成管理システム１０００において、複数の移送装置１００を使用する場合、各移送装置１００に載置している植物の育成サイクルに応じて、或いは植物の状態に応じて、上述したように個別に各区画（ブース）間或いは所定の区画（ブース）内を自在に移動することができる。したがって、育成管理システム１０００は、特定の植物に適用範囲が限定されず様々な植物に適用することができ、且つ著しく高い収穫量を達成することができる。
【００７３】
自在に移動することができる移送装置は、植物を載置した移送装置ごとにモータ等の駆動装置を自載し、外部の駆動力を使用することなく自走できるものが好ましい。また、レールや移送路といった案内手段に制限されず、縦横に自在に移動できるものが好ましい。このような自在に移動できる移送装置を用いることによって、従来の植物工場のように、コンベアなどの大型の設備を固定することなく、フラットな空間で植物を栽培することが可能となる。また、従来の固定された設備を持つ植物工場のように、植物を載置するポットやパレットの大きさを揃える必要もない。このため、いろいろな大きさ植物積載ポットを同時に移動させることができ、単年作物だけでなく、樹齢や大きさが個々に異なる果樹のような多年作物も、スペースを無駄にすることなく栽培することが可能となる。このように、自在に移動することができる移送装置を用いることによって、従来の植物工場のように、ポットやパレットのサイズの制限、ポットやパレットの順番による制限、工場のレイアウトの制限といった問題がなく、作物の個別管理の自由度が大幅に向上するものである。
【００７４】
また、上記のシステムは、果実種であるブルーベリーを用いた実施例に関し説明したが、植物によってその育成サイクルは異なるものである。より具体的には、植物の種類によって、開花の時期や収穫の時期が異なるものであり、たとえば、りんごは5月頃に開花して冬季に収穫されるものである。また、一年のうちの上記の各ブースの滞在時間は、植物によって異なるものである。
【００７５】
しかし、本発明のシステムを使用すれば、各々の植物が独立して自走することができるため、１種類の植物に対して植物ごとに個別管理が可能であり、かつ、複数種類の植物に対しても、各々の種類の植物に対してブースごとの滞在時間や滞在時期を変更して、個別に育成管理を実行できるものである。また、同種の植物或いは異種の植物を育成した場合のいずれにおいても、個体毎に生産履歴をＩＣタグ１２に記憶することができるため、無農薬果実、低農薬果実、通常栽培果実などに分類した果実の出荷が可能となる。
【００７６】
さらに、情報処理装置２０７ａに蓄積されたデータや、ＩＣタグ１２に記憶されたデータを使用して、プラント全体や各ブース内の環境を調整したり、各々の植物に与える光や水や養分等を調整することで、植物の開花速度や果実の成熟速度、休眠時間等をある程度調整することができるので、植物の育成周期を早めることが可能となる。また、プラント内の環境をその育成周期に合わせて調整することができるため、たとえば、上記のサイクルを複数回、一年のうちに実施することが可能であり、収穫量の増加を図ることができる。
【００７７】
また、植物は一つの植物育成プラントに収容されて育成管理されているため、病害虫の発生を抑制することができ、安全性が高く、高品質な果実の生産に繋がる。
【００７８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７９】
１…車輪、２…移送装置の底部、３…移送装置の側面、４…カップ、５…把持手段、６，７…廃液フィルター、８…廃液タンク、９…回転駆動手段、１１…回転用冶具、１２…ＩＣタグ、１３…給液装置、１４…ドライミスト、２０…植物、２１…パレット、１００…移送装置、２００…植物育成プラントの地上階、２０１…受粉ブース、２０２…果実成熟ブース、２０２ｂ…カメラ、２０２ｃ…計量器、２０３…養分蓄積ブース、２０４…診断ブース、２０５…隔離ブース、２０６…作業用通路、２０７…総合管理ブース、２０７ａ…情報処理装置、２０８…窓、２１０…モニタリング装置、３００…植物育成プラントの地下階、３０１…休眠導入ブース、３０２…休眠管理ブース、３０３…萌芽促進ブース、４００…植物育成プラント、４０１，４０２…リフト、１０００…育成管理システム
【図１】
2011120555.tif 000003
【図２】
2011120555.tif 000004
【図３】
2011120555.tif 000005
【図４】
2011120555.tif 000006